(57)【特許請求の範囲】
【請求項１】
下地材の上に固定される左右一対の金属製の金具を有する固定部材と、該固定部材の上部に対して上記一対の金具で挟持された状態に取り付けられる断熱部材と、該断熱部材に対して上記固定部材と非接触に取り付けられ屋根板を係止する係止部材とを有した屋根板支持具であって、
上記固定部材と断熱部材と係止部材が、屋根板の長さ方向と直交する左右方向に貫通する貫通杆で結合されるとともに、
上記断熱部材には、垂直方向に延びる垂直部と、該垂直部の上記貫通杆位置よりも下側の位置から左右方向へ凹む抜け止め溝部とを有する摺動溝が形成され、
上記係止部材には、上記垂直部に摺動可能に収まる垂直片と、上記抜け止め溝部に摺動可能に収まる抜け止め凸条が形成され、
上記垂直片における上記貫通杆に対応する部位には、係止部材を屋根板の長さ方向に摺動可能にする長孔が形成された
屋根板支持具。
【請求項２】
前記抜け止め溝部が、垂直部の下端から水平に延びる水平部と、該水平部から垂直に立ち上がる立ち上がり部とで構成されるとともに、
前記抜け止め凸条が、上記抜け止め溝部に対応する形状で抜け止め溝部に摺動可能に収まる形状に形成された
請求項１に記載の屋根板支持具。
【請求項３】
前記抜け止め溝部が、垂直部の下端に左右両方向に凹む逆三角形状に形成され、
前記抜け止め凸条が、上記抜け止め溝部に対応する形状で抜け止め溝部に摺動可能に収まる形状に形成された
請求項１に記載の屋根板支持具。
【請求項４】
前記抜け止め溝部が、垂直部の下端から左右両方向に向けて水平に延びる形状に形成され、
前記抜け止め凸条が、上記抜け止め溝部に対応する形状で抜け止め溝部に摺動可能に収まる形状に形成された
請求項１に記載の屋根板支持具。
【発明の詳細な説明】
【０００１】
【発明の属する技術分野】
この発明は、折板と称する金属製の屋根板を、梁材や下葺屋根などの下地材の上に取り付けるための屋根板支持具に関する。
【０００２】
【従来の技術】
屋根板支持具は、下地材と屋根板との間に介在して、屋根板を正圧にも負圧にも充分に耐え得るように固定するものである。
【０００３】
しかし屋根板は、金属板からなるので、温度によって伸縮する。つまり日差しの強さや気温の変化等によって、屋根板に歪がたまって、突然大きな音がする音鳴り現象が起こることがあった。
【０００４】
このため、屋根板の伸縮にともなって、屋根板支持具の一部が屋根の長さ方向に摺動して、屋根板にかかる歪を速やかに除去しようとしたものが様々提案されている。例えば特開平９−３２８８６９号があるが、この支持具は、サドルと称する合成樹脂の塊で、下葺屋根の馳締部を左右から挟んで下葺屋根上に固定するとともに、そのサドルの上部に、屋根板を係止する係止部材を屋根板の長さ方向（前後方向）に摺動可能に保持した構造である。
【０００５】
しかしこの構成は、簡素でよいが、合成樹脂製のサドルを直接下地材に固定するので、割れなどが発生することも考えられ、下地材に対する固定に、充分な強度を得にくい難点がある。
【０００６】
【発明が解決しようとする課題】
そこでこの発明は、簡素な構成でありながらも、充分な強度が得られるようにすることを主たる課題とする。
【０００７】
【課題を解決するための手段】
そのための手段は、下地材の上に固定される左右一対の金属製の金具を有する固定部材と、該固定部材の上部に対して上記一対の金具で挟持された状態に取り付けられる断熱部材と、該断熱部材に対して上記固定部材と非接触に取り付けられ屋根板を係止する係止部材とを有した屋根板支持具であって、上記固定部材と断熱部材と係止部材が、屋根板の長さ方向と直交する左右方向に貫通する貫通杆で結合されるとともに、上記断熱部材には、垂直方向に延びる垂直部と、該垂直部の上記貫通杆位置よりも下側の位置から左右方向へ凹む抜け止め溝部とを有する摺動溝が形成され、上記係止部材には、上記垂直部に摺動可能に収まる垂直片と、上記抜け止め溝部に摺動可能に収まる抜け止め凸条が形成され、上記垂直片における上記貫通杆に対応する部位には、係止部材を屋根板の長さ方向に摺動可能にする長孔が形成された屋根板支持具であることを特徴とする。
【０００８】
すなわち、下地材に対して固定部材を固定すると、固定部材の上部に一体化された断熱部材に対して、係止部材が屋根板の長さ方向に摺動可能な状態である。つまり、屋根板を係止した係止部材は、屋根板が熱により伸縮するときに、その伸縮に伴って摺動する。このため、屋根板に歪が溜まることを阻止できる。
【０００９】
しかも、下地材に対しての固定は、金属製の固定部材で行うので、合成樹脂の場合とは異なり、きつく締めても割れなどが発生しにくすることができる。
【００１０】
上記摺動をする係止部材は、貫通杆により断熱部材に結合されるとともに、抜け止め凸条が断熱部材の抜け止め溝部に係合して、上方への抜け止めがなされる。つまり、係止部材の抜け止めは、２段階で行われる。
【００１１】
このため、上記長孔の径を貫通杆の径よりも大きく設定するとよい。
このような構成を採用すると、負圧が作用して係止部材が上へ引っ張られて係止部材が上昇しても、長孔が貫通杆に当たるまでには余裕がある。このため、長孔が強く貫通杆に当たることによって、発生することが考えられる凹みができることを阻止して、摺動動作が可能な状態を確保することができる。
【００１２】
また、上記抜け止め溝部は、水平または斜めの線分状に形成することも、Ｌ字状、三角形状、半円形状等に形成することもできる。
【００１３】
すなわち、上記抜け止め溝部が、垂直部の下端から水平に延びる水平部と、該水平部から垂直に立ち上がる立ち上がり部とで構成されたり、垂直部の下端に左右両方向に凹む逆三角形状に形成されたり、垂直部の下端から左右両方向に向けて水平に延びる形状に形成されたりするものであるもよく、この場合には、上記抜け止め凸条は、上記抜け止め溝部に対応する形状で抜け止め溝部に摺動可能に収まる形状に形成される。
【００１４】
【発明の実施の形態】
この発明の一実施の形態を、以下図面を用いて説明する。
図１は、屋根板支持具１（以下、支持具という）の斜視図であり、この支持具１は、図２に示したように、下葺屋根２の上に上葺屋根３を形成するために用いるものである。形成した上葺屋根３は、日差しを直接受けるので温度変化を受けやすい。この温度変化により、屋根板３ａがその長さ方向に伸縮するが、その伸縮によって屋根板３ａに歪がたまらないように、支持具１の一部を屋根板３ａの長さ方向（前後方向）に摺動可能に構成している。
【００１５】
この支持具１は、下葺屋根２に対して固定する固定部材４と、該固定部材４の上部に一体的に取り付けられる断熱部材５と、該断熱部材５に対して前後方向に摺動可能に取り付けられ、屋根板３ａを係止する係止部材６とで構成する。
【００１６】
図３がその分解斜視図である。
上記固定部材４は金属板製で、同一形状をなす左右一対の固定部材担体７，７からなる。各固定部材担体７は、図２に示したように、下葺屋根２の頂面２ａに接する接地片８を下端に有し、該接地片８の内側縁から半円形の湾曲部９を上方へ延設して、該湾曲部９の上端から上へ垂直片１０を立ち上げ、該垂直片１０の上から断熱部材保持部１１を延設する。断熱部材保持部１１は、外方へ突出するＬ字形に形成した嵌合部１１ａの上端から外方へ向けて受け片１１ｂを水平に延設して構成している。
【００１７】
この固定部材担体７は、側面から見ると、接地片８と湾曲部９と垂直片１０の下部を幅広に形成し、それより上側から嵌合部１１ａの途中までの間を、徐々に幅狭になるように傾斜させて形成している。固定部材４では、垂直片１０に形成した角孔１０ａにボルト１２を通しナット１３で締めることで、下葺屋根２に対する固定を行うが、上述のように斜めに形成することで、締め付け力を強力に作用させることができる。
【００１８】
また、上記嵌合部１１ａには、断熱部材５を取り付けたときに上下左右に分離しないで一体的に組み合わせられるように、嵌合用の切欠部を形成している。すなわち、この嵌合用の切欠部は、嵌合部１１ａの垂直な面の中央に形成した丸孔１４と、該丸孔１４の両側の縁に形成した内側へ凹む嵌合凹部１５である。この嵌合凹部１５は、上端が水平な台形状に形成して、特に断熱部材５の上方への分離に対して強度を得ている。
【００１９】
断熱部材５は、合成樹脂からなるブロック状で、前記係止部材６と固定部材４とを熱伝導不可に非接触の状態とするためのものである。上面には、屋根板を受ける平らな受け面１６を形成するとともに、係止部材６が前後方向（屋根の長さ方向）に摺動可能な摺動溝１７を形成している。
【００２０】
上記摺動溝１７は、左右方向の中間位置に、上面から下部にかけて真っ直ぐに切り込んだ形の割溝状の垂直部１７ａと、該垂直部１７ａの下端から左右両側斜め上方へ切り込んだ抜け止め溝部１７ｂとで構成している。
【００２１】
また、断熱部材５の左右両側面には、上記固定部材担体７の嵌合部１１ａが左右方向から嵌合して、一体的に組み合う凹面１８を形成するとともに、該凹面１８に、上記嵌合用の切欠部、すなわち丸孔１４と嵌合凹部１５にそれぞれ嵌合する端円筒状の突出部１９と、爪状の嵌合凸部２０を形成している。上記突出部１９には、図４に示したように、摺動溝１７の垂直部１７ａを通して左右方向に貫通する貫通孔２１を形成している。
【００２２】
この貫通孔２１にはボルト２２を通しナット２３で止めるが、そのボルト２２は主として、係止部材６の摺動範囲を規制するためのものである。
【００２３】
係止部材６は、ステンレス等の金属板製で、屋根板３ａを係止する係止部２４を上端縁に有し、その下に垂直な垂直片２５を形成し、該垂直片２５の下端から上記断熱部材の一方の抜け止め溝部１７ｂ内を摺動する抜け止め凸条２６を斜め上方に向けて延設している。上記貫通孔２１に対応する高さ位置には、前後方向に長い長孔２７を形成して上記ボルト１２の挿通を可能にしているが、該長孔２７位置より上側から下の部分を、金属板を二重に重ねて補強部２８を形成している。重合状態を維持するには、例えばスポット溶接で固定しておけばよい。二重に重ねて形成することにより、強度を増すことができる。上記補強部２８の形成は、垂直片２５を構成するのと同一の金属板を折り返して形成しているので、部品点数が増えない上に、一体性が高いのでよい。
【００２４】
また、上記長孔２７の径は、ボルト２２の径よりも大きく設定して、係止部材６が上へ引っ張られて移動しても、長孔２７の縁がすぐにはボルト２２に圧接しないように構成している。
【００２５】
なお、図１に仮想線で示したように、係止部材６には、それが前後方向における中立的位置にあることを示すための位置決め用の目印２９を、膨出や刻印、塗布等適宜の手段で形成しておくと施工作業がしやすい。
【００２６】
このように構成した支持具１では、図５に示したように、係止部材６が前後方向に長孔２７とボルト２２で規制される範囲内を、前後方向に摺動可能な状態である。
【００２７】
上葺屋根３の形成に際しては、まず、固定部材４のボルト１２を緩めて固定部材担体７間の間隔を広げて、下葺屋根２の馳締部２ｂを挟持して、この状態でボルト２２を締め付ける。そして、摺動可能な係止部材６の位置を、前方へでも後方へでも摺動可能な中立的位置に設定しておく。この状態でグラスウール等の断熱材（図示せず）を敷き込んでから、係止部材６を利用して屋根板３ａを順に固定してゆく。
【００２８】
このようにして屋根を構成すると、上葺屋根３を構成する屋根板３ａが熱により伸縮したとき、その伸縮にしたがって係止部材６が摺動するので、屋根板３ａには歪が溜まることはなく、従来の音鳴りを防止することができる。
【００２９】
しかも、下葺屋根２に対する固定は、金属板製の固定部材４で行うので、合成樹脂の場合とは異なりきつく締めても、また上下方向に荷重が掛っても割れなどを発生しにくすることができ、強固な固定状態を得ることができる。
【００３０】
また、負圧が掛ると上方へ引っ張られる係止部材６は、抜け止め溝部１７ｂと抜け止め凸条２６とによる第一段階の抜け止めと、長孔２７とボルト２２とによる第二段階の抜け止めとを有するので、強い負圧が作用して係止部材６が引っ張られても、容易には損傷しない強さを得られる。上述のように係止部材６を二重に重ねて補強部２８を形成したことによっても、その効果が高まる。
【００３１】
しかも上記長孔２７の径とボルト２２の径との寸法設定により、負圧作用時に係止部材６が上へ引っ張られて係止部材６が若干上昇しても、長孔２７がボルト２２に当たるまでには余裕がある。このため、長孔２７が強くボルト２２に当たることによって発生することが考えられる長孔２７の変形（凹みができること）を阻止して、摺動動作が可能な状態を確保することができ、確かな性能と耐久性を得ることができる。
【００３２】
さらに、上記ボルト２２は、固定部材４、断熱部材５および係止部材６を貫くので、万が一の火災により合成樹脂製の断熱部材が焼失したとしても、屋根板３ａを止めている係止部材６が断熱部材５から容易に外れることはなく、不測に屋根が飛ぶような不都合をなくすことができる。
【００３３】
以下、その他の例を説明する。なお、上記例と同一の構成部位については、同一の符号を付して詳しい説明を省略する。
図６、図７に、係止部材６の他の例を示す。
これらの係止部材６は、折り返して形成した補強部２８の上端縁に、重合の相手方に形成した切欠部３３から被さるように下へ折り返す折り返し片３４を形成して一体性を得ている。切欠部３３は両側縁部に形成し、図６の係止部材６では、切欠部３３を縁から形成し、図７の係止部材６では、縁を残して切欠部３３を形成している。なお、仮想線で示したように折り返し片３４部分に、スポット溶接を行えば、補強部２８の強度をより高めることができる。
【００３４】
図８から図１０は、断熱部材５の摺動溝１７および係止部材６の抜け止め凸条２６の形状についての他の例を示す支持具１である。すなわち、図８の支持具１では、断熱部材５の摺動溝１７の抜け止め溝部１７ｂを、垂直溝部１７ａから水平に延びる水平部３５と、この水平部３５から垂直に立ち上がる立ち上がり部３６とで構成し、係止部材６の抜け止め凸条２６を、上記抜け止め溝部１７ｂ内を摺動可能な形に形成している。
【００３５】
図９の支持具１は、断熱部材５の摺動溝１７の抜け止め溝部１７ｂを逆三角形に形成し、係止部材６の抜け止め凸条２６を、その中を摺動可能な形に形成している。
【００３６】
図１０の支持具１は、断熱部材５の摺動溝１７の抜け止め溝部１７ｂを水平に形成し、係止部材６の抜け止め凸条２６を、抜け止め溝部１７ｂ内を摺動可能な形に形成している。
【００３７】
図１１に示した支持具１は、固定部材４の他の例を示している。この固定部材４は、馳の形が角形であるものに適した形状に形成している。すなわち、同一形状でない左右一対の第１固定部材担体３７および第２固定部材担体３８と、これらの間に挟まれる第３固定部材担体３９とで構成している。第１固定部材担体３７は、断熱部材５と嵌合する嵌合部１１の下側をコ字形に形成し、下端を接地片８に設定している。
【００３８】
第２固定部材担体３８は、第１固定部材担体３７の垂直片１０の下部に相当する位置に、外方に逆Ｌ字形に膨出するぬすみ部４０を形成した形である。このぬすみ部４０が下葺屋根の馳締部を包囲する。第３固定部材担体３９は、第１固定部材担体３７と第２固定部材担体３８の垂直片１０間に挟まる被挟持片４１と、この被挟持片４１の下端から横に延設した、角形の馳締部に横から被さる係止部４２とで構成する。
【００３９】
以上はこの発明の一実施の形態であり、下葺屋根２は、この発明の下地材に対応し、
固定部材担体７は、金具に対応し、
ボルト２２は、貫通杆に対応するも、この発明は上述の構成のみの限定されるものではない。
【００４０】
【発明の効果】
以上のように、この発明によれば、屋根板を係止した係止部材は、屋根板が熱により伸縮するときに、その伸縮に伴って断熱部材上を摺動する。このため、屋根板に歪が溜まることを阻止でき、音鳴り防止をすることができる。しかもそのための構成は、固定部材と断熱部材と係止部材との三種類からなるので、簡素であり、組み立ての手間も、部品の管理も簡単である。また、簡素な構造ゆえに、コストを抑えることもできる。
【００４１】
そのうえ、下地材に対しての固定を行う固定部材は金属製であるので、合成樹脂の場合とは異なり、きつく締めても割れなどが発生しにくすることができる。このため、高い強度を得ることができる。
【００４２】
また、係止部材の抜け止めが、断熱部材および係止部材を貫通する貫通杆と係止部材に形成した摺動方向に長い長孔、および断熱部材と係止部材との係合でなされるので、二段階で抜け止めが行え、強固な固定が行える。特に、負圧に対しての強度を高めることができる。
【図面の簡単な説明】
【図１】  屋根板支持具の斜視図。
【図２】  屋根板支持具の使用状態の正面図。
【図３】  屋根板支持具の分解斜視図。
【図４】  屋根板支持具の縦断面図。
【図５】  屋根板支持具の作用を示す側面図。
【図６】  係止部材の他の例に係る斜視図。
【図７】  係止部材の他の例に係る斜視図。
【図８】  他の例に係る屋根板支持具の斜視図。
【図９】  他の例に係る屋根板支持具の斜視図。
【図１０】  他の例に係る屋根板支持具の斜視図。
【図１１】  他の例に係る屋根板支持具の斜視図。
【符号の説明】
１…屋根板支持具
２…下葺屋根
３…上葺屋根
３ａ…屋根板
４…固定部材
５…断熱部材
６…係止部材
１７…摺動部材
１７ａ…垂直部
１７ｂ…抜け止め溝部
２１…貫通孔
２２…ボルト
２３…ナット
２５…垂直部
２６…抜け止め凸条
２７…長孔
２８補強部
【図１】
0003816420.tif 000002
【図２】
0003816420.tif 000003
【図３】
0003816420.tif 000004
【図４】
0003816420.tif 000005
【図５】
0003816420.tif 000006
【図６】
0003816420.tif 000007
【図７】
0003816420.tif 000008
【図８】
0003816420.tif 000009
【図９】
0003816420.tif 000010
【図１０】
0003816420.tif 000011
【図１１】
0003816420.tif 000012